Podtech/llm-jp-corpus-v4-ja_patent huggingface dataset:
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
ヒトアルデヒドデヒドロゲナーゼをコードする核酸配列に作動可能に連結したプロモーターを含むベクター。
【請求項２】
前記ベクターがアデノ随伴ウイルス（ＡＡＶ）ベクター、アデノウイルスベクター、レンチウイルスベクター、レトロウイルスベクター及びプラスミドからなる群から選択される、請求項１に記載のベクター。
【請求項３】
前記ベクターがＡＡＶベクターである、請求項２に記載のベクター。
【請求項４】
前記ＡＡＶベクターが非ヒトアデノ随伴ウイルスベクターである、請求項３に記載のベクター。
【請求項５】
前記非ヒトアデノ随伴ウイルスベクターがアカゲザル・アデノ随伴ウイルスベクターである、請求項４に記載のベクター。
【請求項６】
前記アカゲザル・アデノ随伴ウイルスベクターがアデノ随伴ウイルス血清型ｒｈ．１０ベクターである、請求項５に記載のベクター。
【請求項７】
前記プロモーターが、構成的に活性があるプロモーター、細胞の種類に特異的なプロモーター、又は誘導性プロモーターである、請求項１に記載のベクター。
【請求項８】
前記構成的に活性があるプロモーターがニワトリベータアクチンプロモーターである、請求項７に記載のベクター。
【請求項９】
前記ヒトアルデヒドデヒドロゲナーゼがヒトアルデヒドデヒドロゲナーゼ２（ＡＬＤＨ２）である、請求項１に記載のベクター。
【請求項１０】
前記ベクターが、ヒトアルデヒドデヒドロゲナーゼ配列をコードする核酸配列に作動可能に連結されたミトコンドリア局在配列をコードする核酸配列を更に含む、請求項１に記載のベクター。
【請求項１１】
前記ベクターが、配列番号1をコードする、請求項１に記載のベクター。
【請求項１２】
前記ベクターが、配列番号３をコードする、請求項１０に記載のベクター。
【請求項１３】
請求項１〜１２のいずれか一項に記載のベクター及び医薬的に許容される担体を含む組成物。
【請求項１４】
請求項１〜１２のいずれか一項に記載のベクター、又は請求項１３に記載の組成物を含む、哺乳動物におけるアルデヒドデヒドロゲナーゼ欠損症の治療のための、又は哺乳動物におけるアルデヒドデヒドロゲナーゼ欠損症によって特徴付けられる疾患若しくはその任意の症状の治療若しくは予防のための、組成物。
【請求項１５】
前記哺乳動物が（ｉ）〜（ｉｉｉ）：
（ｉ）ヒトである、
（ｉｉ）ＡＬＤＨ２＊２アレルに関してヘテロ接合性又はホモ接合性である、
（ｉｉｉ）エタノール毒性、上部呼吸器／消化管のがん、骨粗鬆症、扁平上皮がん、ファンコニ貧血、パーキンソン病、アルツハイマー病、脳卒中、高血圧、心不整脈、心筋梗塞及びニトログリセリン不耐症からなる群から選択される、アルデヒドデヒドロゲナーゼの欠損症によって特徴付けられる疾患を患っている
の１以上である、請求項１４に記載の組成物。
【請求項１６】
前記組成物が、約３０日以内に１回以下で哺乳動物に投与される、請求項１４又は１５に記載の組成物。
【請求項１７】
前記組成物が、口腔内、筋肉内、経皮、静脈内、動脈内、皮下、皮内又は腹腔内投与により投与される、請求項１４〜１６のいずれか一項に記載の組成物。
【請求項１８】
前記組成物が、哺乳動物におけるＡＬＤＨ２タンパク質の残基４８７がグルタミンでない哺乳動物に投与される、請求項１４〜１７のいずれか一項に記載の組成物。
【請求項１９】
前記組成物が、残基４８７のアミノ酸がリジンである哺乳動物に投与される、請求項１８に記載の組成物。
【請求項２０】
哺乳動物におけるアルデヒドデヒドロゲナーゼ欠損症を治療するための医薬、又は哺乳動物におけるアルデヒドデヒドロゲナーゼ欠損症によって特徴付けられる疾患若しくはその任意の症状を治療若しくは予防するための医薬を調製するための、請求項１〜１２のいずれか一項に記載のベクター又は請求項１３に記載の組成物の使用。
【手続補正書】
【提出日】令和2年5月18日(2020.5.18)
【手続補正１】
【補正対象書類名】特許請求の範囲
【補正対象項目名】全文
【補正方法】変更
【補正の内容】
【特許請求の範囲】
【請求項１】
基地局(BS)によるワイヤレス通信のための方法であって、
1つまたは複数の第1のユーザ機器(UE)および1つまたは複数の第2のUEとの狭帯域通信のために利用可能なリソースの第1のセットおよびリソースの第2のセットを決定するステップと、
前記第1のUEのタイプおよび前記第2のUEのタイプに少なくとも部分的に基づいて、リソースの前記第1のセットおよびリソースの前記第2のセットを前記第1のUEおよび前記第2のUEのうちの1つまたは複数に割り振るステップと、
前記割振りの表示をシグナリングするステップと
を備え、
割り振る前記ステップが、
リソースの前記第1のセットを第1のタイプの前記第1のUEに割り振るステップであって、リソースの前記第1のセットがアンカーリソースブロックを備える、ステップと、
リソースの前記第1のセットおよびリソースの前記第2のセットを第2のタイプの前記第2のUEに割り振るステップであって、リソースの前記第2のセットが1つまたは複数の非アンカーリソースブロックを備える、ステップと
を備える、方法。
【請求項２】
前記第1のタイプが、前記アンカーリソースブロックの中で狭帯域動作を実行するための能力を備え、前記第2のタイプが、前記1つまたは複数の非アンカーリソースブロックの中で狭帯域動作を実行するための能力を備える、請求項1に記載の方法。
【請求項３】
割り振る前記ステップが、
前記第2のタイプの前記第2のUEをリソースの前記第1のセットおよびリソースの前記第2のセットに分配するための1つまたは複数のパラメータを決定するステップと、
前記1つまたは複数のパラメータの表示をシグナリングするステップと
をさらに備える、
請求項1に記載の方法。
【請求項４】
前記1つまたは複数のパラメータが、リソースの前記第1のセットに関連する第1の1つまたは複数の重み、およびリソースの前記第2のセットに関連する第2の1つまたは複数の重みを備えるか、または
前記1つまたは複数のパラメータが、UEがリソースの前記第1のセットを選択する確率を示す1つまたは複数の確率値を備える、請求項3に記載の方法。
【請求項５】
リソースの前記第1のセットおよびリソースの前記第2のセットが、ページングリソースを備え、
前記方法が、
アンカーリソースブロックを使用して狭帯域ページングメッセージの制御部分を送信するステップと、
非アンカーリソースブロックを使用して前記狭帯域ページングメッセージのデータ部分を送信するステップと
によって、前記ページングリソース上で前記狭帯域ページングメッセージを送信するステップをさらに備える、請求項1に記載の方法。
【請求項６】
リソースの前記第1のセットおよびリソースの前記第2のセットが、狭帯域物理ランダムアクセスチャネル(NPRACH)リソースを備え、前記方法が、前記NPRACHリソース上で送信されるNPRACHプリアンブルを監視するステップをさらに備える、請求項1に記載の方法。
【請求項７】
前記NPRACHリソース内のリソースブロックの中で前記NPRACHプリアンブルを受信するステップと、
ランダムアクセス応答(RAR)メッセージを送信するための、前記NPRACHリソース内の別のリソースブロックを、前記NPRACHプリアンブルが受信された前記リソースブロックのロケーションに少なくとも部分的に基づいて決定するステップと、
前記決定された他のリソースブロックの中で前記RARメッセージを送信するステップと
をさらに備える請求項6に記載の方法。
【請求項８】
ユーザ機器(UE)によるワイヤレス通信のための方法であって、
基地局(BS)との狭帯域通信のために利用可能な複数のリソース内のリソースのセットを決定するための少なくとも1つのパラメータの表示を受信するステップであって、前記複数のリソースが、アンカーリソースブロックを含むリソースの第1のセットと、1つまたは複数の非アンカーリソースブロックを含むリソースの第2のセットとを備える、ステップと、
前記表示された少なくとも1つのパラメータに少なくとも部分的に基づいて、前記BSとの前記狭帯域通信のために使用すべきリソースの前記第1のセットおよびリソースの前記第2のセットのいずれかを決定するステップと、
リソースの前記決定されたセットを使用して前記BSと通信するステップと
を備える方法。
【請求項９】
前記アンカーリソースブロックと、前記1つまたは複数の非アンカーリソースブロックとを含む、リソースの前記第1のセットおよびリソースの前記第2のセットがページングリソースを備える、請求項8に記載の方法。
【請求項１０】
前記少なくとも1つのパラメータが、リソースの前記第1のセットの前記ページングリソースの中の前記アンカーリソースブロックに関連する第1の重み、またはリソースの前記第2のセットの前記ページングリソースの中の前記1つまたは複数の非アンカーリソースブロックに関連する1つもしくは複数の第2の重み、のうちの少なくとも1つを備え、
通信する前記ステップが、リソースの前記決定されたセットの中でページングチャネルを監視するステップを備え、リソースの前記セットが、UE識別子にさらに基づいて決定される、請求項9に記載の方法。
【請求項１１】
前記アンカーリソースブロックと、前記1つまたは複数の非アンカーリソースブロックとを含む、リソースの前記第1のセットおよびリソースの前記第2のセットが狭帯域物理ランダムアクセスチャネル(NPRACH)リソースを備える、請求項8に記載の方法。
【請求項１２】
前記少なくとも1つのパラメータが、前記UEがリソースの前記第1のセットの前記NPRACHリソースの中の前記アンカーリソースブロックを選択する確率を示す1つまたは複数の確率値を備え、
通信する前記ステップが、リソースの前記決定されたセット上でNPRACHプリアンブルを送信するステップを備え、リソースの前記セットが、前記1つまたは複数の確率値にさらに基づいて決定される、請求項11に記載の方法。
【請求項１３】
請求項1乃至7のいずれか1項に記載の方法を実行するための手段を備えたワイヤレス通信のための装置。
【請求項１４】
請求項8乃至12のいずれか1項に記載の方法を実行するための手段を備えたワイヤレス通信のための装置。
【請求項１５】
請求項1乃至7または8乃至12のいずれか1項に記載の方法をコンピュータに実行させる命令を含むコンピュータプログラム。
【手続補正書】
【提出日】令和2年4月30日(2020.4.30)
【手続補正１】
【補正対象書類名】特許請求の範囲
【補正対象項目名】全文
【補正方法】変更
【補正の内容】
【特許請求の範囲】
【請求項１】
配列番号３５と少なくとも９０％同一であるアミノ酸配列を有する成熟重鎖可変領域および配列番号３６または配列番号３９と少なくとも９０％同一である成熟軽鎖可変領域を含む抗体であって、位置Ｈ１がＥである、および／または位置Ｌ９がＳである、抗体。
【請求項２】
配列番号１５の３つのカバットＣＤＲおよび配列番号２２の３つのカバットＣＤＲを含む、請求項１に記載の抗体。
【請求項３】
位置Ｈ１３、Ｈ２８、Ｈ４８およびＨ９１が、それぞれＫ、Ｐ、ＭおよびＦにより占められ、
位置Ｌ１、Ｌ４、Ｌ３６およびＬ４３が、それぞれＮ、Ｌ、ＦおよびＳによって占められるか、または位置Ｌ１、Ｌ４、Ｌ３６およびＬ４３が、それぞれＤ、Ｌ、ＦおよびＳによって占められる、
請求項１または２に記載の抗体。
【請求項４】
位置Ｈ１がＥにより占められ、位置Ｌ９がＳにより占められる、請求項１〜３のいずれかに記載の抗体。
【請求項５】
配列番号３５と少なくとも９５％同一であるアミノ酸配列を有する成熟重鎖可変領域および配列番号３６または配列番号３９と少なくとも９５％同一である成熟軽鎖可変領域を含む、請求項１〜４のいずれかに記載の抗体。
【請求項６】
前記成熟重鎖可変領域が重鎖定常領域に融合されており、前記成熟軽鎖可変領域が軽鎖定常領域に融合されている、請求項１〜５のいずれかに記載の抗体。
【請求項７】
前記重鎖定常領域が、天然のヒト定常領域と比較してＦｃγ受容体への結合が低減した前記天然のヒト定常領域の変異型である、請求項６に記載の抗体。
【請求項８】
前記重鎖定常領域が、ＩｇＧ１アイソタイプ、好ましくは配列番号２０であり、前記軽鎖定常領域がカッパ軽鎖、好ましくは配列番号３２である、請求項６に記載の抗体。
【請求項９】
前記成熟重鎖可変領域が配列番号３５と命名されたアミノ酸配列を有し、前記成熟軽鎖可変領域が、配列番号３６と命名されたアミノ酸配列を有する、請求項１〜８のいずれかに記載の抗体。
【請求項１０】
細胞傷害剤または細胞増殖抑制剤にコンジュゲートされている、請求項１〜９のいずれかに記載の抗体。
【請求項１１】
Ｆａｂフラグメントである、請求項１〜５のいずれかに記載の抗体。
【請求項１２】
請求項１〜１１のいずれかに記載の抗体の重鎖および／または軽鎖をコードする、核酸。
【請求項１３】
請求項１〜１１のいずれかに記載の抗体と薬学的に許容されるキャリアとを含む、医薬組成物。
【請求項１４】
請求項１〜１１のいずれかに記載の抗体を含む、アルツハイマー病を処置または予防するための医薬組成物。
【請求項１５】
請求項１〜１１のいずれかに記載の抗体を含む、タウに関連する疾患を処置または予防するための医薬組成物。
【手続補正書】
【提出日】令和2年5月19日(2020.5.19)
【手続補正１】
【補正対象書類名】特許請求の範囲
【補正対象項目名】全文
【補正方法】変更
【補正の内容】
【特許請求の範囲】
【請求項１】
少なくとも２つのマイコバクテリウム抗原を含む融合ポリペプチドであって、１つの抗原が強いセントラルメモリーＴ細胞活性化因子であり、かつ１つの抗原が強いエフェクターメモリーＴ細胞活性化因子である、融合ポリペプチド。
【請求項２】
前記強いセントラルメモリーＴ細胞活性化因子の抗原が、Ｒｖ１８１３−ｂ、Ｒｖ２６０８ｂ、Ｒｖ２３８９−ｂ、またはＲｖ１８８６−ｂに対して少なくとも９０％の配列同一性を有する配列、Ｒｖ１８１３−ｂ、Ｒｖ２６０８ｂ、Ｒｖ２３８９−ｂ、若しくはＲｖ１８８６−ｂの配列、またはＲｖ３６１９若しくはＲｖ３６２０の配列を含む、請求項１に記載の融合ポリペプチド。
【請求項３】
第３の抗原をさらに含み、前記第３の抗原が、強いセントラルメモリーＴ細胞活性化因子である、または第３の抗原が、強いエフェクターメモリーＴ細胞活性化因子である、請求項１に記載の融合ポリペプチド。
【請求項４】
Ｒｖ３６１９、Ｒｖ３６２０、Ｒｖ２３８９−ｂ、およびＲｖ２６０８−ｂに対して少なくとも９０％の配列同一性を有する抗原、またはＲｖ３６１９、Ｒｖ３６２０、Ｒｖ２３８９−ｂ、およびＲｖ２６０８−ｂを含む、請求項１に記載の融合ポリペプチド。
【請求項５】
前記融合ポリペプチドが、ＩＤ９３−１、ＩＤ９３−２、ＩＤ８３−１、ＩＤ８３−２、またはＩＤ９７に対して少なくとも９０％の配列同一性を有する、または前記融合ポリペプチドが、ＩＤ９３−１、ＩＤ９３−２、ＩＤ８３−１、ＩＤ８３−２、またはＩＤ９７である、請求項１に記載の融合ポリペプチド。
【請求項６】
請求項１〜５に記載の融合ポリペプチドのいずれか１つ、および薬学的に許容される担体、賦形剤、または希釈剤を含む、医薬組成物。
【請求項７】
対象においてマイコバクテリウムへの強いセントラルメモリーＴ細胞応答およびマイコバクテリウムへの強いエフェクターメモリーＴ細胞応答を活性化させる方法であって、有効量の、請求項１〜６に記載の融合ポリペプチドのいずれか１つまたは請求項６に記載の薬学的組成物を対象に投与することを含む、方法。
【請求項８】
対象において二次性結核感染症を予防または治療する方法であって、有効量の、請求項１〜５に記載の融合ポリペプチドのいずれか１つまたは請求項６に記載の薬学的組成物を対象に投与することを含む、方法。
【請求項９】
対象において二次性結核感染症を予防するために使用される、または対象において二次性結核感染症を治療するために使用される、請求項８に記載の方法。
【請求項１０】
前記結核感染症が、ＮＴＭによる二次感染症である、または潜伏Ｍｔｂ若しくはＮＴＭ感染症の再活性化である、請求項８に記載の方法。
【請求項１１】
対象において非結核性マイコバクテリウム（ＮＴＭ）感染症を予防または治療する方法であって、有効量の、請求項１〜５に記載の融合ポリペプチドのいずれか１つまたは請求項６に記載の薬学的組成物を対象に投与することを含む、方法。
【請求項１２】
対象においてＮＴＭ感染症を予防するために使用される、または対象においてＮＴＭ感染症を治療するために使用される、請求項１１に記載の方法。
【請求項１３】
前記ＮＴＭ感染症が一次感染症である、または前記ＮＴＭ感染症が二次感染症である、請求項１１に記載の方法。
【請求項１４】
対象において活動性ＴＢ疾患の徴候または症状を減少させる方法であって、有効量の、請求項１〜５に記載の融合ポリペプチドのいずれか１つまたは請求項６に記載の薬学的組成物を対象に投与することを含む、方法。
【請求項１５】
前記対象がクォンティフェロン陽性である、または前記対象がクォンティフェロン陰性である、請求項１３または１４のいずれか一項に記載の方法。
【請求項１６】
対象において非結核性マイコバクテリウム（ＮＴＭ）感染症を予防または治療する方法であって、有効量の、ＩＤ９３−１、ＩＤ９３−２、ＩＤ８３−１、ＩＤ８３−２、ＩＤ９７、またはＩＤ９１に対して少なくとも９０％の配列同一性を有する、またはＩＤ９３−１、ＩＤ９３−２、ＩＤ８３−１、ＩＤ８３−２、ＩＤ９７、若しくはＩＤ９１である融合ポリペプチドを対象に投与することを含む、方法。
【請求項１７】
対象においてＮＴＭ細菌負荷を減少させる方法であって、前記対象の細胞を、（ｉ）任意にＧＬＡまたはＳＬＡである、ＴＬＲ４アゴニスト、（ｉｉ）ＩＤ９３−１、ＩＤ９３−２ＩＤ８３−１、ＩＤ８３−２、ＩＤ９７、もしくはＩＤ９１に対して少なくとも９０％の配列同一性を有する、またはＩＤ９３−１、ＩＤ９３−２、ＩＤ８３−１、ＩＤ８３−２、ＩＤ９７、若しくはＩＤ９１である融合ポリペプチド、または（ｉｉｉ）これらの組合せと接触させることを含む、方法。
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
ダンネージ転換機のためのストック供給アセンブリであって、
比較的低い充填位置と、前記充填位置に対して垂直に変位した比較的高い動作位置との間で可動である支持構造を有するストック材料支持体を備え、
前記支持構造は、前記充填位置と前記動作位置との間で移動するときに、一貫した配向を維持し、
前記ストック材料支持体は、前記支持構造を前記充填位置と前記動作位置との間で移動させるためのリンケージ機構を備え、
前記リンケージ機構は、前記動作位置において前記支持構造を留めて保持する第１の機構を備え、
前記第１の機構は、前記ストック供給アセンブリを前記動作位置及び前記充填位置に保持すると共に、前記動作位置から前記充填位置への回転、又は、前記充填位置から前記動作位置への回転を制限するのに役立つ機構であって、重力留め具を含む、ストック供給アセンブリ。
【請求項２】
前記支持構造は、扇状に折り畳まれたシートストック材料の積層体を支持するための棚を含む、請求項１に記載のストック供給アセンブリ。
【請求項３】
前記支持構造は、扇状に折り畳まれたシートストック材料の積層体を支持するための水平な棚を含む、請求項１又は２に記載のストック供給アセンブリ。
【請求項４】
前記リンケージ機構は、横方向に離間した位置で前記支持構造と接続し、連携して作動する一対のリンケージを含む、請求項１〜３のいずれか１項に記載のストック供給アセンブリ。
【請求項５】
前記第１の機構は、連携して作動するようにロッドで接続された、一対の離間した重力留め具を含む、請求項１〜４のいずれか１項に記載のストック供給アセンブリ。
【請求項６】
前記リンケージ機構は、前記充填位置と前記動作位置との間で前記ストック支持体を移動させることを容易にするハンドル部材を含む、請求項１〜５のいずれか１項に記載のストック供給アセンブリ。
【請求項７】
前記ストック材料支持体は、フレームに取付けられ、垂直軸の周りを回転可能である、請求項１〜６のいずれか１項に記載のストック供給アセンブリ。
【請求項８】
ダンネージ転換機と組合される、請求項１〜７のいずれか１項に記載のストック供給アセンブリ。
【請求項９】
請求項８に記載のストック供給アセンブリとダンネージ転換機との組合せ体であって、前記ダンネージ転換機は、シートストック材料を比較的厚くかつ低密度のダンネージ製品に転換する、組合せ体。
【請求項１０】
前記リンケージ機構は、前記支持構造を前記ダンネージ転換機に接続する１つ又は複数の部分を含み、前記支持構造が前記充填位置に移動するときに、前記ダンネージ転換機の上流端を下向きに回転させて、前記転換機内にシートストック材料の新しい供給物の先端が充填されることを容易にする、請求項９に記載の組合せ体。
【請求項１１】
請求項１〜８のいずれか１項に記載のストック供給アセンブリの使用方法であって、
シートストック材料を比較的低密度のダンネージ製品になるように充填する方法が、
重力留め具を外し、ストック材料支持構造を高い動作位置から相対的に低い充填位置まで降下させるステップと、
シートストック材料の供給物を前記充填位置で前記支持構造上に充填するステップと、
前記支持構造を前記充填位置から前記動作位置へ上昇させ、重力留め具を留めることで前記動作位置において前記支持構造を保持するステップと、
前記供給物からのシートストック材料をダンネージ転換機に給送し、シートストック材料の前記供給物から１つまたは複数のダンネージ製品を生産するために、前記ダンネージ転換機を動作させるステップと、を含む方法。
【請求項１２】
前記ストック材料支持構造を含むストック供給アセンブリを垂直軸の周りに回転させるステップを更に含む、請求項１１に記載の方法。
【請求項１３】
前記回転させるステップは、前記ダンネージ転換機を回転させることを含む、請求項１２に記載の方法。
【請求項１４】
前記降下させるステップは、前記転換機の上流端を降下させるために、前記ダンネージ転換機を水平軸の周りに回転させることを含む、請求項１１に記載の方法。
【請求項１５】
前記上昇させるステップは、前記転換機の下流端を降下させるために、前記ダンネージ転換機を水平軸周りで回転させることを含む、請求項１１に記載の方法。
【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
式ＩＩの構造を有する化合物ならびにその塩および溶媒和物；
【化１】
2019521078.tif 000001
ここで、Ｒ１は、塩素、臭素およびヨウ素から選択されるハロゲン原子であり、
Ｒ２およびＲ３は、−Ｏ−ＣＨ３であり、
Ｒ４は、−ＣＯＯＨ、−Ｃ(Ｏ)ＯＲ１および−Ｃ(Ｏ)ＮＲ１Ｒ２であり、
Ｒ１およびＲ２は、独立して水素、Ｃ１−Ｃ４−アルキル基、Ｃ２−Ｃ４−アルケニル基、Ｃ２−Ｃ４アルキニル基およびフェニル基である。
【請求項２】
式ＩＩＩの構造を有する化合物ならびにその塩および溶媒和物。
【化２】
2019521078.tif 000002
【請求項３】
以下の工程を含む、請求項１または２に記載の化合物の産生方法：
ａ）以下からなる群から選択される細菌を、海水を含む適切な培地中で培養する工程と：
ｉ）ブダペスト条約に基づいて寄託番号ＤＳＭ３２２８７で２０１６年４月７日にＤＳＭＺに寄託された細菌単離株；および
ｉｉ）単離された細菌と類似の遺伝子型および／または表現型特性を有する細菌などのｉ）の細菌単離株と密接に関連した細菌；
ｂ）前記培地から前記化合物を抽出する工程。
【請求項４】
前記細菌が、そのゲノム中に、逆転写および第２鎖の合成によって配列番号１に示される配列と少なくとも８０％同一である配列を提供する１６Ｓ  ｒＲＮＡを含む、請求項３に記載の方法。
【請求項５】
前記工程ｂ）が、培養細菌を遠心分離して化合物を抽出する細胞ペレットを得る工程を含む、請求項３または４に記載の方法。
【請求項６】
前記化合物が、ジメチルスルホキシド（ＤＭＳＯ）を用いて細胞ペレットから抽出される、請求項３〜５のいずれか一項に記載の方法。
【請求項７】
前記培地が、ＰＭ６であり、任意に人工海水を含む、請求項３〜５のいずれか一項に記載の方法。
【請求項８】
請求項１または２に記載の化合物を産生するための単離された細菌の使用であって、
前記細菌が、以下からなる群から選択される細菌である、使用：
ｉ）ブダペスト条約に基づいて寄託番号ＤＳＭ３２２８で２０１６年４月７日にＤＳＭＺに寄託された細菌単離株。および
ｂ）単離された細菌と類似の遺伝子型および／または表現型特性を有する細菌などの、ａ）の細菌単離株と密接に関連した細菌。
【請求項９】
前記密接に関連した細菌が、そのゲノム中に、逆転写および第２鎖の合成によって配列番号１に示される配列と少なくとも８０％同一である配列を提供する１６Ｓ  ｒＲＮＡを含む、請求項８に記載の使用。
【請求項１０】
請求項１または２に記載の化合物と、薬学的に許容される１つ以上の担体および／または賦形剤とを含む、医薬組成物。
【請求項１１】
治療に使用するための、請求項１または２に記載の化合物。
【請求項１２】
抗微生物剤としての使用のための、請求項１または２に記載の化合物。
【請求項１３】
前記使用が、患者における細菌感染症を治療するための使用であって、請求項１若しくは２に記載の化合物、または請求項１０に記載の医薬組成物を前記患者に投与する工程を含む、請求項１１または１２に記載の化合物。
【請求項１４】
前記細菌感染症が多剤耐性細菌によって引き起こされる、請求項１３に記載の化合物。
【請求項１５】
前記細菌感染症がグラム陽性および／またはグラム陰性細菌によって引き起こされる、請求項１４に記載の化合物。
【請求項１６】
細菌を死滅させる、またはその増殖を阻害するための非医学的方法であって、請求項１若しくは２に記載の化合物、または請求項１０に記載の組成物を、死滅または阻害すべき細菌と接触させる工程を含む、方法。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
アクチュエータ素子アレイ中のアクチュエータ素子の静電容量を決定する試験回路であって、前記試験回路は、
コントローラと、
試験入力を生成する電源と、
前記試験回路と前記アクチュエータ素子との間の試験経路での１つ以上の試験値を測定するように構成された測定回路と、を備え、
前記コントローラは、試験期間中、
前記アクチュエータ素子に関連する第１のスイッチを制御して前記アクチュエータ素子を前記試験経路に接続し、
前記電源を制御して第１の試験入力を生成し、
前記第１の試験入力に応じて生成される第１の試験値から全静電容量を決定し、前記全静電容量は、アクチュエータ素子の容量とアクチュエータ素子に関連する寄生容量を含み、
前記全静電容量から前記アクチュエータ素子の前記静電容量を決定する、ように構成される、試験回路。
【請求項２】
前記コントローラは、第１の期間中、
さらなるアクチュエータ素子に関連する第２のスイッチを制御して、前記試験経路と前記さらなるアクチュエータ素子との間の短絡が存在するとき、前記さらなるアクチュエータ素子を前記試験経路に接続するようにさらに構成される、請求項１に記載の試験回路。
【請求項３】
前記コントローラは、
前記試験値と決定された前記静電容量とのうちの１つ以上に応じて前記アクチュエータ素子に関連する不具合を検出するようにさらに構成され、
前記不具合は、
断線と、前記アクチュエータ素子の両端間の短絡と、前記試験経路と前記さらなるアクチュエータ素子との間の短絡と、の１つ以上を含む、請求項１または２に記載の試験回路。
【請求項４】
前記コントローラは、第１の較正期間中、
前記アクチュエータ素子に関連する前記第１のスイッチを制御して前記アクチュエータ素子を前記試験経路から絶縁し、
前記試験経路での第２の試験入力を制御して前記アクチュエータ素子に関連する寄生容量を充電し、
前記第２の試験入力に応じて生成される第２の試験値から前記関連する寄生容量を決定する、ようにさらに構成され、
前記関連する寄生容量は前記全静電容量から前記アクチュエータ素子の前記静電容量を決定するのに用いられる、請求項１〜３のいずれかに記載の試験回路。
【請求項５】
前記第１の試験値は前記第１の試験入力と寄生電流とに応じてさらに生成され、
前記コントローラは、第１の較正期間中、
前記電源を制御して前記寄生電流にバイアスをかけて前記アクチュエータ素子から離し、
前記アクチュエータ素子に関連する前記第１のスイッチを制御して前記アクチュエータ素子を前記試験経路から電気的に絶縁し、
前記電源を制御して前記アクチュエータ素子に関連する寄生容量を前記寄生電流で充電し、
前記関連する寄生容量を前記寄生電流で充電するのに応じて第２の試験値を生成する、ようにさらに構成される、請求項１〜３に記載の試験回路。
【請求項６】
前記コントローラは、第２の較正期間中、
前記電源を制御して前記寄生電流にバイアスをかけて前記アクチュエータ素子から離し、
前記アクチュエータ素子に関連する前記第１のスイッチを制御して前記アクチュエータ素子を前記試験経路から電気的に絶縁し、
前記関連する寄生容量を前記寄生電流と第２の試験入力とで充電するように前記電源を制御し、
前記関連する寄生容量を前記寄生電流と前記第２の試験入力とで充電するのに応じて第３の試験値を生成するようにさらに構成され、
第２の試験値と前記第３の試験値とが前記全静電容量から前記アクチュエータ素子の前記静電容量を決定するのに用いられる、請求項５に記載の試験回路。
【請求項７】
前記測定回路は、各々が前記試験経路での１つ以上の前記試験値と設定されたレベルの入力を受けるように配置される１つ以上のコンパレータと、
前記１つ以上のコンパレータから出力を受けるように配置されるタイマを備える、請求項１〜６のいずれかに記載の試験回路。
【請求項８】
前記試験回路は、前記試験経路から前記試験回路を電気的に絶縁するよう配置される試験スイッチをさらに備える、請求項１〜７のいずれかに記載の試験回路。
【請求項９】
前記試験回路は前記試験経路を放電する放電スイッチをさらに備える、請求項１〜８のいずれかに記載の試験回路。
【請求項１０】
前記電源は定電流源を備え、前記第１の試験入力は定電流を備える、請求項１〜９のいずれかに記載の試験回路。
【請求項１１】
１つ以上のアクチュエータ素子を備えるアクチュエータ素子アセンブリと、
前記１つ以上のアクチュエータ素子のうちのアクチュエータ素子を試験経路または駆動経路に選択的に接続する複数のスイッチを備えるスイッチ回路と、
前記試験経路に接続されるときに全静電容量から前記アクチュエータ素子の静電容量を決定するように構成された試験回路と、を備え、
前記全静電容量は、前記アクチュエータ素子の前記静電容量と前記アクチュエータ素子に関連する寄生容量を含む、液滴堆積ヘッド回路。
【請求項１２】
前記試験回路は、
コントローラと、
前記試験経路についての試験入力を生成する電源と、
前記試験入力に応じて生成される前記試験経路での１つ以上の試験値を測定する測定回路と、を備える、請求項１１に記載の液滴堆積ヘッド回路。
【請求項１３】
前記試験経路は、前記試験回路と前記１つ以上のアクチュエータ素子との間にある第１の試験バスを備え、
前記駆動経路は、駆動回路と前記１つ以上のアクチュエータ素子との間にある前記第１の試験バスを備える、請求項１１または１２に記載の液滴堆積ヘッド回路。
【請求項１４】
前記駆動経路は、駆動回路と前記１つ以上のアクチュエータ素子との間にある第２の試験バスを備える、請求項１３に記載の液滴堆積ヘッド回路。
【請求項１５】
前記試験経路は、前記駆動経路から前記試験回路を電気的に絶縁する試験スイッチを備える、請求項１１〜１３に記載の液滴堆積ヘッド回路。
【請求項１６】
前記複数のスイッチのうちのあるスイッチは、直列に配置されている第１および第２のスイッチ素子を備え、前記第１の試験バスは前記第１および第２のスイッチ素子間に接続され、前記第１のスイッチ素子は、前記駆動経路から前記試験回路を電気的に絶縁するように構成される、請求項１１〜１５のいずれかに記載の液滴堆積ヘッド回路。
【請求項１７】
プリントヘッド回路中のアクチュエータ素子の静電容量を決定する方法であって、
前記アクチュエータ素子を試験経路に接続することと、
前記試験経路についての第１の入力を試験回路で生成することと、
前記試験入力に応じて生成される前記試験経路での第１の試験値を前記試験回路で測定することと、
前記第１の試験値から前記アクチュエータ素子の全静電容量を前記第１の試験値に応じて決定することと、
前記全静電容量から前記アクチュエータ素子の前記静電容量を決定することと、を含む、方法。
【請求項１８】
請求項１〜１０のいずれかに記載の試験回路を有する液滴堆積装置。
【請求項１９】
請求項１〜１０のいずれかに記載の試験回路を備える試験モジュール。
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
航空機胴体用の航空機キャビンアセンブリであって、
一対のキャビンモジュールであって、各キャビンモジュールは、実質的に床から天井までの隔壁によって画定された、一対のキャビンモジュールと、
開放型座席領域内の座席構成と、を備え、
前記モジュールが、前記座席によって占められた前記座席領域内に長手方向に延び、
前記一対のキャビンモジュールのそれぞれが、それらの間に長手方向に延びる中央通路を画定するために前記胴体の両側に配置されるように構成され、
前記座席領域内の前記座席が、前記座席間に長手方向に延びる側方通路の対を画定し、
斜めに延びる移行通路が、前記隔壁の一部分と内側の隔壁とによってそれぞれ画定され、
前記移行通路が、前記側方通路のそれぞれを前記中央通路と接続する、航空機キャビンアセンブリ。
【請求項２】
前記モジュールが横方向中心線に関して実質的に対称である、請求項１に記載の航空機キャビンアセンブリ。
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
Ｌ−Ａｓｐ残基またはＬ−Ａｓｎ残基を含み、前記Ｌ−Ａｓｐ残基または前記Ｌ−Ａｓｎ残基が重水素原子を含む、安定性が増大したタンパク質薬物。
【請求項２】
前記重水素原子が前記Ｌ−Ａｓｐ残基または前記Ｌ−Ａｓｎ残基のアルファ炭素に位置する、請求項１に記載のタンパク質薬物。
【請求項３】
前記重水素原子が側鎖メチレン基に位置する、請求項１または２に記載のタンパク質薬物。
【請求項４】
前記Ｌ−Ａｓｐ残基または前記Ｌ−Ａｓｎ残基が少なくとも２つの重水素原子を含む、請求項１〜３のいずれか一項に記載のタンパク質薬物。
【請求項５】
前記Ｌ−Ａｓｐ残基または前記Ｌ−Ａｓｎ残基が重水素原子をどの水素位置にも含む、請求項１〜４のいずれか一項に記載のタンパク質薬物。
【請求項６】
前記Ｌ−Ａｓｐ残基または前記Ｌ−Ａｓｎ残基のラセミ化速度が、重水素原子を有しないＬ−Ａｓｐ残基またはＬ−Ａｓｎ残基のラセミ化速度より少なくとも５０％低下している、請求項１〜５のいずれか一項に記載のタンパク質薬物。
【請求項７】
ヒト対象に投与した後において、重水素原子を前記Ｌ−Ａｓｐ残基または前記Ｌ−Ａｓｎ残基に有しない対応するタンパク質薬物よりも少なくとも２０％大きい半減期を有する、請求項１〜６のいずれか一項に記載のタンパク質薬物。
【請求項８】
重水素原子を前記Ｌ−Ａｓｐ残基または前記Ｌ−Ａｓｎ残基に有しない対応するタンパク質薬物よりも少なくとも２０％大きい安定性を有する、請求項１〜７のいずれか一項に記載のタンパク質薬物。
【請求項９】
重水素化Ｌ−Ａｓｐまたは重水素化Ｌ−Ａｓｎを含有する、タンパク質における１つまたは複数のＡｓｐ残基またはＡｓｎ残基のラセミ化によって引き起こされる疾患を処置する、改善する、または予防するための、組成物。
【請求項１０】
前記タンパク質における前記１つまたは複数のＡｓｐ残基またはＡｓｎ残基のラセミ化が、重水素化Ｌ−Ａｓｐまたは重水素化Ｌ−Ａｓｎの投与後に少なくとも１０％低下する、請求項９に記載の組成物。
【請求項１１】
前記疾患がアルツハイマー病である、請求項９または１０に記載の組成物。
【請求項１２】
前記タンパク質がアミロイド−βである、請求項９〜１１のいずれか一項に記載の組成物。
【請求項１３】
前記１つまたは複数のＡｓｐ残基が、アミロイド−β−４２のＡｓｐ１、Ａｓｐ７およびＡｓｐ２３を含む、請求項１２に記載の組成物。
【請求項１４】
前記１つまたは複数のＡｓｐ残基が、アミロイド−β−４２のＡｓｎ２７を含む、請求項１２に記載の組成物。
【請求項１５】
重水素化Ｌ−Ａｓｐ残基または重水素化Ｌ−Ａｓｎ残基を含む製造物であって、該製造物中の重水素の量が、天然に存在するレベルを超えている、製造物。
【請求項１６】
液体形態において、製造物内の前記Ｌ−Ａｓｐ残基または前記Ｌ−Ａｓｎ残基のラセミ化が少なくとも１０％低下する、請求項１５に記載の製造物。
【請求項１７】
メチルＬ−α−アスパルチル−Ｌ−フェニルアラニナートを含有する、請求項１５または１６に記載の製造物。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
コンベヤベルト（５０）であって、
積載面（５４）を有する本体部分（５２）と、
該ベルトの前記本体部分（５２）の前記積載面（５４）から延在するとともに、該ベルトの進行方向に対して平行な長手方向表面を有するコルゲート状でない側壁（６２）と、
を備え、
前記コルゲート状でない側壁は、前記長手方向表面に対して鋭角に延在するスロット（６６）を有し、該ベルトの前記進行方向に対して垂直な軸の周りでの前記本体部分（５２）の逆曲げを容易にし、各スロットは、前記側壁の遠位縁部から、前記積載面における前記側壁の近位縁部に対して離間した点まで延在し、一対のスロット拡張部が、前記スロットが前記点を越えて広がることを最小限にするために、前記点から反対方向に延在する、コンベヤベルト。
【請求項２】
各スロットは、前記ベルトの前記進行方向に対して前方のスロット面と後方のスロット面とによって画定され、前記鋭角は、前記後方のスロット面と隣接する前記長手方向表面との間の角度である、請求項１に記載のコンベヤベルト。
【請求項３】
前記前方のスロット面と前記後方のスロット面とは、切り溝によって分離される、請求項２に記載のコンベヤベルト。
【請求項４】
各スロット拡張部は、Ｕ字形の切れ目である、請求項３に記載のコンベヤベルト。
【請求項５】
前記コルゲート状でない側壁のすぐ隣に配置される第２のコルゲート状でない側壁を更に備え、該第２のコルゲート状でない側壁は、前記側壁の前記スロットに対して互い違いにされたスロットを有する、請求項１に記載のコンベヤベルト。
【請求項６】
前記コルゲート状でない側壁は、前記遠位縁部よりも前記近位縁部において厚い、請求項１に記載のコンベヤベルト。
【請求項７】
前記コルゲート状でない側壁は、前記近位縁部において足部を有する、請求項６に記載のコンベヤベルト。
【請求項８】
前記コルゲート状でない側壁は、前記近位縁部から前記遠位縁部までの厚さにテーパーが付けられている、請求項６に記載のコンベヤベルト。
【請求項９】
前記点に配置された穴を更に備える、請求項１に記載のコンベヤベルト。
【請求項１０】
前記コルゲート状でない側壁のすぐ隣に配置される第２の側壁を更に備え、該第２の側壁は、前記側壁の前記スロットに対して互い違いにされたスロットを有する、請求項９に記載のコンベヤベルト。
【請求項１１】
前記前方のスロット面と前記後方のスロット面との間の摩擦を低減する手段を更に備える、請求項２に記載のコンベヤベルト。
【請求項１２】
前記手段は、より小さな鋭角を含む、請求項１１に記載のコンベヤベルト。
【請求項１３】
前記手段は、前記前方のスロット面及び前記後方のスロット面における、より低い摩擦係数を含む、請求項１２に記載のコンベヤベルト。
【請求項１４】
コンベヤベルトであって、
積載面を有する本体部分と、
該ベルトの前記本体部分の前記積載面から、該ベルトの進行方向に対して横断方向に延在するクリートと、
を備え、
前記クリートは、該クリートの表面に対して鋭角に前記クリートに延在するスロットによって、該ベルトの前記進行方向に対して平行な軸の周りでの前記本体部分の曲げを容易にし、各スロットは、前記クリートの遠位縁部から、前記積載面における前記クリートの近位縁部に対して離間した点まで延在し、一対のスロット拡張部は、前記スロットが前記点を越えて広がることを最小限にするために、前記点から反対方向に延在する、コンベヤベルト。
【請求項１５】
各スロット拡張部は、Ｕ字形の切れ目である、請求項１４に記載のコンベヤベルト。
【請求項１６】
前記点における穴を更に備える、請求項１５に記載のコンベヤベルト。
【請求項１７】
前記近位縁部における足部を更に備える、請求項１４に記載のコンベヤベルト。
【請求項１８】
前記スロットによって画定されるセグメントは、互いに対して捻れる、請求項１４に記載のコンベヤベルト。
【請求項１９】
隣接セグメント間の摩擦を低減する手段を更に備える、請求項１８に記載のコンベヤベルト。
【請求項２０】
前記クリートは、弧状である、請求項１５に記載のコンベヤベルト。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
筐体、
取り外し可能かつ交換可能で、分注される製品を収容する詰替ユニット、
処理装置、
記憶装置、
前記詰替ユニット中に残っている用量の数を示す前記記憶装置内に記憶された用量の回数、
前記詰替ユニット中の製品の水準を検出するセンサ、
前記詰替ユニットから分注された製品の前記用量の数を示す分注の回数、
前記分注された製品の前記用量の数、及び検出した前記製品の水準の関数として、前記用量の回数を再較正する記憶装置内に記憶された論理回路、及び
前記詰替ユニット中に残っている製品の前記用量の数を表示する表示装置
を含む分注器システム。
【請求項２】
前記分注の回数は、前記分注された製品の用量毎に増加する、請求項１に記載の分注器システム。
【請求項３】
前記分注の回数は、前記分注された製品の用量毎に減少する、請求項１に記載の分注器システム。
【請求項４】
前記水準は、前記詰替ユニット中の製品の第１の所定の水準で検出され、かつ前記詰替ユニット中の製品の第２の所定の水準で検出され、前記分注器は、前記詰替ユニット中に残っている前記用量の数を第２の際に再較正する論理回路を含む、請求項１に記載の分注器システム。
【請求項５】
前記センサは光レベルセンサである、請求項１に記載の分注器システム。
【請求項６】
前記センサは前記詰替ユニットの一部である、請求項１に記載の分注器システム。
【請求項７】
前記詰替ユニット中に残っている製品の前記用量の数は、遠隔ステーションに表示される、請求項１に記載の分注器システム。
【請求項８】
前記詰替ユニット中に残っている製品の前記用量の数を示す表示装置は、前記分注器に設けられている、請求項１に記載の分注器システム。
【請求項９】
さらに前記用量の回数を変更する入力を含む、請求項１に記載の分注器システム。
【請求項１０】
前記入力が手動入力である、請求項９に記載の分注器システム。
【請求項１１】
筐体、
前記筐体内に少なくとも部分的に配置された詰替ユニットを受け入れる容器、
処理装置、
記憶装置、
前記詰替ユニット中の用量の数を示す記憶装置内に記憶された用量の回数、
前記詰替ユニット中の製品の１つ以上の所定の水準を検出するセンサ、
分注された製品の用量の数を示す分注の回数、
前記用量の回数、前記分注の回数、及び前記製品の１つ以上の所定の水準の関数として、前記詰替ユニット中に残っている前記用量の数を判定する回路、及び
前記詰替ユニット中に残っている前記用量の数を示す情報を表示する表示装置
を含む分注器システム。
【請求項１２】
前記製品は流体である、請求項１１に記載の分注器システム。
【請求項１３】
さらに前記詰替ユニット中に製品の第２の所定の水準を含み、前記詰替ユニット中に残っている前記用量の数を第２の際に再較正する論理回路を含む、請求項１１に記載の分注器システム。
【請求項１４】
前記センサは光レベルセンサである、請求項１１に記載の分注器システム。
【請求項１５】
前記詰替ユニット中に残っている製品の用量の数を表示する前記表示装置は、前記分注器に設けられている、請求項１１に記載の分注器システム。
【請求項１６】
さらに残っている製品の前記用量の数を遠隔ステーションに送信する無線通信回路を含む、請求項１１に記載の分注器システム。
【請求項１７】
分注器中の容器内に残っている流体の用量のより正確な数を表示する方法であって、
分注器を提供することを含み、
前記分注器は、
筐体、
詰替ユニットを受け入れる筐体内の領域、
前記詰替ユニット中の製品の１つ以上の量を判定するセンサ、
前記詰替ユニットが満杯になると、前記詰替ユニット中の製品の用量の数を示す数値を記憶する回路、
前記製品を分注するアクチュエータ、
分注された製品の前記用量の数を示す数値を記憶する回路、及び
前記詰替ユニット中に残っている製品の前記用量の数を示す表示情報
を含み、
前記分注器から製品の複数の用量を分注すること、
前記詰替ユニット中の製品の水準を判定すること、及び
前記詰替ユニットが満杯のときの前記詰替ユニット中の製品の前記用量の数、分注された製品の前記用量の数、及び前記詰替ユニット中の製品の前記水準を示す数値の関数として、前記詰替ユニット中に残っている製品の前記用量の数を計算すること、
を含む方法。
【請求項１８】
さらに表示装置上に分注された製品の計算した用量の数を示す情報を表示することを含む、請求項１７に記載の方法。
【請求項１９】
前記表示装置は前記分注器に設けられている、請求項１８に記載の方法。
【請求項２０】
前記表示装置は遠隔ステーションに設けられている、請求項１８に記載の方法。
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
第１の物体（１）に第２の物体（２）を締結する方法であって、
−  第１の取付け面を含む前記第１の物体（１）を設けるステップと、
−  前記第２の物体（２）を設けるステップと、
−  前記第１の取付け面と前記第２の物体（２）の第２の取付け面との間に樹脂（３）を介在させた状態で、前記第１の物体（１）に対して相対的に前記第２の物体（２）を配置するステップと、
−  前記樹脂（３）が前記第１の取付け面および前記第２の取付け面に接触している間、機械振動を前記第２の物体（２）または前記第１の物体、または前記第２の物体（２）および前記第１の物体の両方に作用させることにより、前記樹脂を架橋するように活性化させるステップと、
−  架橋後、前記樹脂（３）により前記第２の物体を前記第１の物体に固定するステップとを含み、
−  前記第２の物体（２）は、前記第２の取付け面を形成するアンカープレート（３１）と、前記アンカープレート（３１）に固定された締結要素（３２，３６）とを有する締結具であり、前記アンカープレート（３１）は少なくとも１つの貫通開口部（３３）を有することを特徴とする、方法。
方法。
【請求項２】
第１の物体（１）は、マトリックス材料に埋込まれた繊維の構造体を含む繊維複合部分を含み、前記繊維複合部分は、前記繊維の構造体のうち、前記第１の取付け面において露出された部分を含み、前記第２の物体（２）および前記第１の物体（１）を互いに対して押当てて機械振動を作用させるステップは、前記樹脂を露出された前記繊維の構造体に浸透させる、請求項１に記載の方法。
【請求項３】
樹脂（３）が前記第１の取付け面と前記第２の物体との間において流動可能である状態で、前記繊維複合部分に対して相対的に前記第２の物体（２）を配置するステップよりも前に、前記繊維の構造体の前記部分を露出するようにマトリックス材料を除去するステップを含み、マトリックス材料を除去するステップは、例えばサンドブラストを含む、請求項２に記載の方法。
【請求項４】
前記第２の取付け面は、前記第１の物体に対して相対的に前記第２の物体（２）を配置するステップにおいて、前記第１の取付け面と前記第２の取付け面との間に樹脂（３）を介在させた状態で、前記第１の取付け面に当接するように配置される、先行する請求項のいずれか１項に記載の方法。
【請求項５】
前記第２の取付け面は少なくとも１つの窪み（２１）または突起を含み、前記窪み（２１）は例えば放射状チャネルまたは円周方向チャネルを形成し、または前記第２の取付け面は突起のパターンを含む、請求項４に記載の方法。
【請求項６】
前記アンカープレート（３１）は、前記第２の取付け面を形成する遠位側のアンカープレート面から突出るスペーサ要素（３５）を含む、先行する請求項のいずれか１項に記載の方法。
【請求項７】
前記締結要素（３２，３６）は、ねじ切りされた棒材、ピン、ナット、フック、アイレット、バヨネット結合のためのベースのうち少なくとも１つを含む、先行する請求項のいずれか１項に記載の方法。
【請求項８】
前記第２の物体（２）および前記第１の物体（１）を互いに対して押当てて機械振動を作用させるステップは、前記機械振動を前記アンカープレート（３１）に結合するステップを含み、前記機械振動を前記アンカープレート（３１）に結合するステップは、振動工具（６）を前記アンカープレート（３１）の近位側結合面に押当てるステップを含み、前記振動工具（６）および前記第２の物体（２）は、前記締結要素（３２，３６）を収容するための収容窪み（６１）を有する前記振動工具（６）によって前記アンカープレートの前記近位側対向面に直接前記工具（６）を押当てるために、互いに対して適合されている、先行する請求項のいずれか１項に記載の方法。
【請求項９】
前記振動工具（６）は、前記振動工具に対して相対的に前記第２の物体を案内するように前記締結要素（３２，３６）と協働する案内構造（６２，６５）を含み、前記案内構造（６２，６５）は、例えば前記第２の物体を前記振動工具（６）に締結するための、前記締結要素（３２，３６）と協働する締結構造体として構成される、請求項８に記載の方法。
【請求項１０】
機械振動を作用させるステップは、前記第１の物体が非振動支持部に対して押当てられている間、振動工具（６）を用いて前記第２の物体を前記第１の物体に対して押当てるステップを含み、前記方法はさらに、前記振動工具（６）と前記第２の物体（２）との間に、および／または、前記第１の物体（１）と前記非振動支持部との間に制御箔を位置決めするステップを含み、前記方法は、機械振動を作用させるステップの後、前記第１の物体および前記第２の物体のアセンブリから前記制御箔を除去するさらなるステップを含む、先行する請求項のいずれか１項に記載の方法。
【請求項１１】
先行する請求項のいずれか１項に記載の方法を実行するための部品のキットであって、樹脂（３）の原材料と、少なくとも１つの第２の物体（２）と、振動を前記第２の物体（２）に付与することができる振動付与工具（６）とを含み、前記振動付与工具（６）は、前記第２の物体（２）の近位側対向内結合面に適合された遠位側外結合面を有し、前記第２の物体は、アンカープレート（３１）と、前記アンカープレートに固定された締結要素（３２，３６）とを有する締結具であり、前記アンカープレートは少なくとも１つの貫通開口部（３３）を有する、キット。
【請求項１２】
締結具（２）であって、アンカープレート（３１）とそれに接着された締結要素（３２，３６）とを含み、前記アンカープレート（３１）は、第２の取付け面と、対向面とを有し、前記アンカープレートは、少なくとも１つの貫通開口部（３３）を有し、前記アンカープレート（３１）はさらに、前記取付け面から遠ざかるように突出るスペーサ（３５）を含み、前記アンカープレート（３１）は、前記スペーサ（３５）を第１の物体の第１の取付け面に当接させた状態で、かつ、前記第１の取付け面と前記第２の面との間に樹脂（３）の層を介在させた状態で、前記第１の取付け面を有する前記第１の物体（１）に固定することができることを特徴とする、締結具。
【請求項１３】
前記対向面は、内結合面として形作られており、前記内結合面は、前記内結合面と物理的に接触する振動工具（６）から前記アンカープレート（３１）に機械振動を結合させるためのものである、請求項１２に記載の締結具。
【請求項１４】
請求項１３に記載の締結具（２）と、機械振動をアンカープレート（３１）に結合するための前記締結具に適合されたソノトロード（６）とを含み、前記ソノトロード（６）は締結要素（３２，３６）に機械的に結合されるように設けられている、セット。
【請求項１５】
請求項１から１０のいずれか１項に記載の方法における、請求項１１に記載のキット、請求項１２または請求項１３に記載の締結具（２）、または請求項１４に記載のセットの使用。